(57)【要約】【課題】近距離無線通信で使用する際に容易に特定できる通信機器を提供する。【解決手段】通信機器１００は、近距離無線通信による近距離無線通信ネットワーク１０と同時に他の種類の通信による通信ネットワーク２０に接続されている。通信機器は近距離無線通信ネットワーク１０に接続して通信を行うための第１の通信装置１１０、通信ネットワーク２０に接続して通信を行うための第２の通信装置１２０、これら第１の通信装置及び第２の通信装置を制御するための制御装置１３０とを備えている。該制御装置は近距離無線通信の際に、第１の通信装置の名前として制御装置が有する名前を使用するか否かを指定する名前設定指示手段の値を調べ、その値によって近距離無線通信の際に第１の通信装置で使用する名前としてＮｅｔＢＩＯＳ名を設定するか又は第１の通信装置の名前をそのまま設定する。【選択図】      図８
2005051437.tif 000002
【特許請求の範囲】
【請求項１】
第１の名前を有し、所定の種類の通信をするための第１の通信手段と、第２の名前を有する制御手段とを備える通信機器において、前記制御手段は、前記第１の名前として前記第２の名前を設定することを特徴とする通信機器。
【請求項２】
第１の通信手段と、第２の通信手段とを用いて通信する通信機器において、
前記第１の通信手段を用いて行われる通信で使用される第１の名前を記憶する記憶手段と、
前記記憶手段に記憶されている前記第１の名前を読み出し、前記第２の通信手段を用いて行われる通信で使用される第２の名前を前記第１の名前と同じ名前に設定する設定手段とを有することを特徴とする通信機器。
【請求項３】
前記第１の通信手段と、前記第２の通信手段は、異なる種別の通信を行う手段であることを特徴とする請求項２記載の通信機器。
【請求項４】
前記第１の名前は、Ｄｏｍａｉｎ  Ｎａｍｅ  Ｓｙｓｔｅｍ（ＤＮＳ）によって管理されるホスト名、あるいは、Ｄｏｍａｉｎ  Ｎａｍｅ  Ｓｙｓｔｅｍ（ＤＮＳ）によって管理されるＦｕｌｌｙ  Ｑｕａｌｉｆｉｅｄ  Ｄｏｍａｉｎ  Ｎａｍｅ（ＦＱＤＮ）、あるいは、ＮｅｔＢＩＯＳ名であることを特徴とする請求項２に記載の通信機器。
【請求項５】
前記第１の通信手段は有線通信を行う手段であり、前記第２の通信手段は無線通信を行う手段であることを特徴とする請求項２記載の通信機器。
【請求項６】
前記第１の名前を前記第２の通信手段の名前として設定するか否かの設定に応じて、前記第１の名前を前記第２の通信手段の名前として設定することを特徴とする請求項２記載の通信機器。
【請求項７】
前記設定手段は、ユーザの指示に応じて、前記第１の名前を前記第２の通信手段の名前として設定することを特徴とする請求項２記載の通信機器。
【請求項８】
前記設定手段は、前記第２の通信手段の名前がユーザにより既に変更されているか否かに応じて、前記第１の名前を前記第２通信手段の名前として設定することを特徴とする請求項２記載の通信機器。
【請求項９】
第１の通信手段と、第２の通信手段とを用いて通信する通信機器の制御方法において、
前記第１の通信手段の名前として設定されている第１の名前を、前記第２の通信手段を用いて行われる通信で使用される第２の名前に変更することを特徴とする制御方法。
【請求項１０】
第１の通信手段と、第２の通信手段とを用いて通信する通信機器の通信方法において、
前記第１の通信手段の名前として設定されている第１の名前と、前記第２の通信手段を用いて行われる通信で使用される第２の名前とを同じ名前にして通信することを特徴とする通信方法。
【発明の詳細な説明】
【０００１】
【発明の属する技術分野】
本発明は通信機器及びその制御方法、通信方法に関する。
【０００２】
【従来の技術】
ＴＣＰ／ＩＰのネットワークに接続された、通信機器は、機器毎に一意な値を有するＩＰアドレスと、このＩＰアドレスに対応した、機器を表現するための名前を持っている。ＩＰアドレス及びこれに対応した名前はＤｏｍａｉｎ  Ｎａｍｅ  Ｓｙｓｔｅｍ（ＤＮＳ）サーバによって管理されており、同一ドメインには同一の名前が複数存在することはない。従ってＴＣＰ／ＩＰのネットワークの利用者は、ＩＰアドレス若しくはＩＰアドレスに対応する名前を用いてネットワーク内に存在する特定の機器にアクセスすることが可能である。
【０００３】
また、Ｂｌｕｅｔｏｏｔｈのように、近距離無線通信方式により通信する通信装置には、近距離無線通信ネットワークに接続するための一意なアドレスの他に、通信装置を表現するための名前を有し、この名前を設定することが可能なものがある（特許文献１参照）。
【０００４】
しかし、近距離無線通信ネットワークは一時的なものでＴＣＰ／ＩＰのネットワークにおけるＤＮＳのように名前を一括して管理する仕組みがないこともある。このような近距離無線通信方式を用いる通信装置には、この通信装置を製造したメーカによって予め名前が付与されることが多い。
【０００５】
【特許文献１】
特開２００１−１８６５６６号公報
【０００６】
【発明が解決しようとする課題】
しかしながら、予め製造者によって名前が付与される場合、同一形式の通信装置には同一の名前名が初期値として付与されることになる。
【０００７】
予め製造者によって付与された名前は、利用者による変更が可能である。しかし、利用者は名前を変更しなかったり、変更し忘れたりする場合がある。このような場合、同一の近距離無線通信ネットワークに、同一の製造者によって製造された同一の通信装置（名前を「Ｗｉｒｅｌｅｓｓ  Ｃｏｍｍ  Ｔｏｏｌ」とする）が複数台存在することがあり得る。この場合には、利用者は「Ｗｉｒｅｌｅｓｓ  Ｃｏｍｍ  Ｔｏｏｌ」という名前では特定の通信装置にアクセスすることができず、利便性が損なわれるという問題点があった。
【０００８】
また、利用者が通信装置の名前を変更した場合であっても、通信装置がＴＣＰ／ＩＰのネットワークと近距離無線通信ネットワークとに接続されている場合には、ＴＣＰ／ＩＰのネットワークで使用する名前と近距離無線通信ネットワークで使用する名前とが異なっていると、２種類の名前がネットワークで用いられることになるので、通信機器の特定がしづらいという問題があった。
【０００９】
本発明は上記従来技術の問題点を解決するためになされたもので、種類が異なる複数のネットワークで通信を行う場合でも、通信機器を容易に特定できるようにすることを目的とする。
【００１０】
【課題を解決するための手段】
上記目的を達成するために、請求項１記載の通信機器は、第１の名前を有し、所定の種類の通信をするための第１の通信手段と、第２の名前を有する制御手段とを備える通信機器において、前記制御手段は、前記第１の名前として前記第２の名前を設定することを特徴とする。
【００１１】
上記目的を達成するために、請求項２記載の通信機器は、第１の通信手段と、第２の通信手段とを用いて通信する通信機器において、前記第１の通信手段を用いて行われる通信で使用される第１の名前を記憶する記憶手段と、前記記憶手段に記憶されている前記第１の名前を読み出し、前記第２の通信手段を用いて行われる通信で使用される第２の名前を前記第１の名前と同じ名前に設定する設定手段とを有することを特徴とする。
【００１２】
上記目的を達成するために、請求項９記載の通信機器の制御方法は、第１の通信手段と、第２の通信手段とを用いて通信する通信機器の制御方法において、前記第１の通信手段の名前として設定されている第１の名前を、前記第２の通信手段を用いて行われる通信で使用される第２の名前に変更することを特徴とする。
【００１３】
上記目的を達成するために、請求項１０記載の通信機器の通信方法は、第１の通信手段と、第２の通信手段とを用いて通信する通信機器の通信方法において、前記第１の通信手段の名前として設定されている第１の名前と、前記第２の通信手段を用いて行われる通信で使用される第２の名前とを同じ名前にして通信することを特徴とする
【００１４】
【発明の実施の形態】
以下、図面を参照して本発明の好適な実施の形態に係る通信機器ついて説明する。
【００１５】
図１は、本発明の第１の実施の形態に係る通信機器が接続された通信ネットワークの全体構成を例示する図である。
【００１６】
通信機器１００ａ，１００ｂがＢｌｕｅｔｏｏｔｈ規格に準拠した近距離無線通信（所定の種類の通信）による近距離無線通信ネットワーク１０に接続されており、同時に他の種類の通信による通信ネットワーク２０にも接続されている。本実施の形態においては、この通信ネットワーク２０はＮｅｔＢＥＵＩ（ＮｅｔＢＩＯＳ  Ｅｘｔｅｎｄｅｄ  Ｕｓｅｒ  Ｉｎｔｅｒｆａｃｅ）のネットワークとして説明する。
【００１７】
通信機器１００ａは近距離無線通信ネットワーク１０に接続して通信を行うための第１の通信装置１１０ａ（第１の通信手段）と、通信ネットワーク２０に接続して通信を行うための第２の通信装置１２０ａ（第２の通信手段）と、これら第１の通信装置１１０ａ及び第２の通信装置１２０ａを制御するための制御装置１３０ａとを備えている。この制御装置１３０ａ（制御手段）は例えばコンピュータである。
【００１８】
通信機器１００ｂは通信機器１００ａの第１の通信装置１１０ａと同様の第１の通信装置１１０ｂを備えており、これによって近距離無線通信ネットワーク１０に接続して通信を行うことができる。また、通信機器１００ｂは通信機器１００ａの第２の通信装置１２０ａと同様の第２の通信装置１２０ｂを備えており、これによってＮｅｔＢＥＵＩのネットワーク２０に接続して通信を行うことができる。これら第１の通信装置１１０ｂと第２の通信装置１２０ｂとは制御装置１３０ｂによって制御されている。この制御装置１３０ｂも、例えばコンピュータである。なお、以後、通信機器１００ａ，１００ｂを総称して通信機器１００と記すことがある。また、第１の通信装置１１０ａ，１１０ｂを総称して通信装置１１０と記すことがあり、制御装置１２０ａ，１２０ｂを総称して制御装置１２０と記すことがある。
【００１９】
図２は、図１における通信機器１００ａ，１００ｂが有する名前の一例を示す図であり、（ａ）は通信機器１００ａの第１の通信装置１１０ａに設定された第１の名前及び制御装置１３０ａが有する第２の名前を示し、（ｂ）は第１の通信装置１１０ｂに設定された第１の名前及び通信機器１００ｂの制御装置１３０ｂが有する第２の名前を示す。
【００２０】
制御装置１３０ａおよび制御装置１３０ｂは、自己を識別させるための第２の名前としてＮｅｔＢＩＯＳ（Ｎｅｔｗｏｒｋ  Ｂａｓｉｃ  Ｉｎｐｕｔ  Ｏｕｔｐｕｔ  Ｓｙｓｔｅｍ）名を有しているものとする。制御装置１３０ａが有するＮｅｔＢＩＯＳ名を「Ｈｏｓｔ１」とし、制御装置１３０ｂが有するＮｅｔＢＩＯＳ名を「Ｈｏｓｔ２」とする。
【００２１】
また、通信装置１１０ａには、予め製造者によって自己を識別させるための「Ｗｉｒｅｌｅｓｓ  Ｃｏｍｍ  Ｔｏｏｌ」という名前が付けられているものとし、通信装置１１０ｂには、利用者によって「Ｍｙ  Ｔｏｏｌ」という名前が設定されているものとする。
【００２２】
図３は、図１のネットワークに接続している通信機器の名前を示す図であり、（ａ）はＮｅｔＢＥＵＩのネットワーク２０に接続している通信機器の名前の一覧を示し、（ｂ）は近距離無線通信ネットワーク１０に接続している通信機器の名前の一覧を示す。
【００２３】
図１に示すようにネットワークに接続された通信機器の利用者からは、ＮｅｔＢＥＵＩのネットワーク２０には「Ｈｏｓｔ１」というＮｅｔＢＩＯＳ名を持つ通信機器１００ａと「Ｈｏｓｔ２」というＮｅｔＢＩＯＳ名を持つ通信機器１００ｂとの２台が有るように見えるとともに（（ａ）参照）、近距離無線通信ネットワーク１０には「Ｗｉｒｅｌｅｓｓ  Ｃｏｍｍ  Ｔｏｏｌ」という名前を持つ通信機器１００ａと「Ｍｙ  Ｔｏｏｌ」という名前を持つ通信機器１００ｂとの２台が有るように見える（（ｂ）参照）。
【００２４】
図４は、図１における通信装置１１０の内部構成を示すブロック図である。
【００２５】
通信装置１１０は、ＣＰＵ等である制御部１１１、ＲＯＭ１１２、ＲＡＭ１１３、通信部１１４、アンテナ１１５、インターフェイス（Ｉ／Ｆ）部１１６（第１のインターフェイス部）、不揮発性メモリ１１７から構成されている。制御部１１１は、通信装置１１０の全体を制御する。ＲＯＭ１１２は、制御部１１１の動作用の定数、変数、プログラム等を記憶している。ＲＡＭ１１３は制御部１１１の作業領域として使用される。不揮発性メモリ１１７には、通信装置１１０の名前や通信機器に固有のアドレス等のデータが保存される。通信部１１４とアンテナ１１５とによって近距離無線通信が行われる。Ｉ／Ｆ部１１６は通信装置１１０を制御装置１３０に接続するために使用される。Ｉ／Ｆ部１１６としてはＰＣＭＣＩＡ、ＳＤカード、コンパクトフラッシュ（登録商標）、マルチメディアカード、メモリスティックなどの規格に準拠したインターフェイス、若しくはバスインターフェイスを用いることができる。
【００２６】
図５は、図１における制御装置１３０の内部構成を示すブロック図である。
【００２７】
制御装置１３０は、ＣＰＵ等であって通信機器の全体を制御する制御部１３１、システム制御プログラムが格納されるシステム制御用メモリであるＲＯＭ１３２、プログラム処理に供されるＲＡＭ構成の記憶部１３３、ディスプレイなどの表示部１３４、キーボードやマウスなどの操作部１３５、通信装置１１０との接続に使用されるインターフェイス（Ｉ／Ｆ）部１３６（第２のインターフェイス部）から構成されている。
【００２８】
図６は、通信機器１００による名前設定処理を示すフローチャートである。
【００２９】
制御装置１３０において名前設定処理が開始されると、制御装置１３０はＩ／Ｆ部１３６を通じて、通信装置１１０が接続されているか否かを確認する（ステップＳ６０１）。確認の結果、通信装置１１０が接続されていない場合には、通信機器１００は本処理を終了する。一方、ステップＳ６０１において通信装置１１０が接続されていることを確認した場合には、制御装置１３０は記憶部１３３に保存されているＮｅｔＢＩＯＳ名を読み込み（ステップＳ６０２）、通信装置１１０に対して近距離無線通信で使用する名前としてＮｅｔＢＩＯＳ名を設定して（ステップＳ６０３）、本処理を終了する。
【００３０】
通信機器１００ａにおいて、制御装置１３０ａは「Ｈｏｓｔ１」というＮｅｔＢＩＯＳ名を有している。したがってステップＳ６０３を実行した結果、通信装置１１０ａに設定される名前は「Ｈｏｓｔ１」となる。同様に通信機器１００ｂにおいて、制御装置１３０ｂは「Ｈｏｓｔ２」というＮｅｔＢＩＯＳ名を有している。したがってステップＳ６０３を実行した結果、通信装置１１０ｂに設定される名前は「Ｈｏｓｔ２」となる。
【００３１】
この結果を図７に示す。図７は、名前設定処理を実行した後のＮｅｔＢＥＵＩのネットワーク２０、および近距離無線通信ネットワークに１０おける通信機器１００ａ，１００ｂの名前を示す図であり、（ａ）はＮｅｔＢＥＵＩのネットワーク２０に接続している通信機器の名前の一覧を示し、（ｂ）は近距離無線通信ネットワーク１０に接続している通信機器の名前の一覧を示す。
【００３２】
図７（ａ）及び（ｂ）に示すように、近距離無線通信ネットワーク１０およびＮｅｔＢＥＵＩのネットワーク２０それぞれで「Ｈｏｓｔ１」という通信機器と「Ｈｏｓｔ２」という通信機器の２台が有るように見える。このように本実施の形態によれば、複数の異なるネットワークを使用する通信機器がそれぞれのネットワークに対して常に同一の名前を有することができる。これにより、利用者は利用するネットワークの種別にかかわらず同一の名前で通信機器にアクセスすることが可能となり利便性が向上する。
【００３３】
また、上記説明ではＤＮＳのようなサーバが一括して管理している名前を、一時的なものである近距離無線通信ネットワークで使われる名前に設定するので、ネットワーク上のサーバの管理情報を変更する等の複雑な作業を行う必要はない。
【００３４】
なお、上記の名前設定処理は、制御装置１３０において通信装置１１０の制御用プログラムが起動されたときに実行されるが、利用者が任意のタイミングで実行できるようにしてもよい。
【００３５】
本実施の形態に係る通信機器では、近距離無線通信ネットワーク１０で使用する名前としてＮｅｔＢＩＯＳ名を使用した場合を例に説明したが、ＴＣＰ／ＩＰのネットワークで用いられるＦｕｌｌｙ  Ｑｕａｌｉｆｉｅｄ  Ｄｏｍａｉｎ  Ｎａｍｅ  （ＦＱＤＮ）や、ＦＱＤＮから得られるホスト名、ホスト名とドメイン名の一部を用いてもよい。例えば、制御装置１３０ａがＴＣＰ／ＩＰのネットワークに接続されており、ＴＣＰ／ＩＰのネットワークにおけるＦＱＤＮを「Ｈｏｓｔ１．ｘｘｘ．ｃｏ．ｊｐ」とした場合、近距離無線通信ネットワーク１０で使用する名前として、ＦＱＤＮ（Ｈｏｓｔ１．ｘｘｘ．ｃｏ．ｊｐ）やホスト名（Ｈｏｓｔ１）、または、ホスト名とドメイン名の一部を組み合わせた名前（例えばＨｏｓｔ１．ｘｘｘなど）を用いてもよい。
【００３６】
また、図１では通信装置１１０は制御装置１３０の外部に接続した形態として図示したが、制御装置１３０に内蔵した形態でもよい。
【００３７】
次に、本発明の第２の実施の形態に係る通信機器を説明する。
【００３８】
本実施の形態に係る通信機器は、制御装置が有する名前を通信装置の名前として設定するか否かを示す名前設定指示手段を有する点が第１の実施の形態に係る通信機器と異なる。
【００３９】
図８は、本発明の第２の実施の形態に係る通信機器による名前設定処理を示すフローチャートである。
【００４０】
本実施の形態に係る通信機器は、図１に示した第１の実施の形態に係る、通信機器と同様に通信ネットワークに接続されている。さらに、通信機器が備える通信装置及び制御装置の構成も図４及び図５に示したものと同様であるので、以下、第１の実施の形態に係る通信機器の説明で用いた図面を参照しながら説明する。
【００４１】
なお、本実施の形態では、制御部１３０の操作部１３５の操作により、通信装置１１０が近距離無線通信で使用する名前を、通信装置１２０がＮｅｔＢＥＵＩネットワークで使用するＮｅｔＢＩＯＳ名に変更するか否かを予め設定しておき、その設定内容を記憶部１３３に登録しておくものとする。
【００４２】
通信機器１００において本実施の形態における名前設定処理が開始されると、制御装置１３０は、Ｉ／Ｆ部１３６（図５参照）を通して通信装置１１０が接続されているか否かを確認する（ステップＳ８０１）。確認の結果、通信装置１１０が接続されていない場合には、本処理を終了する。ステップＳ８０１において通信装置１１０が接続されていると確認された場合には、制御装置１３０は通信装置１１０の名前として制御装置１３０が有する名前を使用するか否かを記憶部１３３の登録内容を参照して確認する（ステップＳ８０２）。
【００４３】
その結果、通信装置１１０で使用する名前として制御装置１３０の名前を使用することが予め設定されていた場合には、制御装置１３０は記憶部１３３に保存されているＮｅｔＢＩＯＳ名を読み込み（ステップＳ８０３）、通信装置１１０に対して近距離無線通信で使用する名前としてＮｅｔＢＩＯＳ名を設定して（ステップＳ８０４）、本処理を終了する。通信装置１１０で使用する名前として制御装置１３０の名前を使用しないように設定されていた場合には、本処理を終了する。
【００４４】
なお、通信装置１１０が近距離無線通信で使用する名前を、ＮｅｔＢＩＯＳ名に変更するか否かの設定は、初期状態では通信装置１１０で使用する名前としてＮｅｔＢＩＯＳ名を使用する設定となっていることが望ましい。名前を変更しない設定にするのは、利用者が、変更操作を行った場合があげられる。
【００４５】
図９は、名前設定処理を実行した後のＮｅｔＢＥＵＩのネットワーク２０、および近距離無線通信ネットワークに１０おける通信機器１００ａ，１００ｂの名前を示す図であり、（ａ）はＮｅｔＢＥＵＩのネットワーク２０に接続している通信機器の名前の一覧を示し、（ｂ）は近距離無線通信ネットワーク１０に接続している通信機器の名前の一覧を示す。
【００４６】
通信機器１００ａにおいて、名前設定処理が行われる前は制御装置１３０ａは「Ｈｏｓｔ１」というＮｅｔＢＩＯＳ名を有し、通信装置１１０ａには予め製造者によって付与された「Ｗｉｒｅｌｅｓｓ  Ｃｏｍｍ  Ｔｏｏｌ」という名前が付けられている。しかし、通信機器１００ａでは、名前の変更を行うように設定されていたため、ステップＳ８０２、Ｓ８０３、Ｓ８０４を実行した結果、通信装置１１０ａに設定される名前は「Ｈｏｓｔ１」となる。一方、通信機器１００ｂにおいて、通信装置１１０ｂには利用者によって「Ｍｙ  Ｔｏｏｌ」とぃう名前が付けられており、通信機器１００ｂでは名前の変更を行わないように設定されていたものとする。したがって名前設定処理を実行した後にも、通信装置１１０ｂの名前は「Ｍｙ  Ｔｏｏｌ」と設定されることになる。
【００４７】
本実施の形態に係る通信機器よれば、通信機器１００ｂのように、すでに利用者によって通信装置１１０ｂの名前が設定されていて、ＮｅｔＢＩＯＳ名には変更しないように設定されている場合には、制御装置１３０ｂが名前変更処理を実行しても制御装置１３０ｂによって通信装置１１０ｂの名前が書き換えられることがない。一方、通信機器１００ａのように通信装置１００ａの名前をＮｅｔＢＩＯＳ名に変更する設定が行われている、または、初期状態が通信装置１００ａの名前をＮｅｔＢＩＯＳ名に変更する設定であり、この設定を変更していなければ、名前変更処理を実行することによって通信装置１１０ａに制御装置１３０ａの名前が設定される。したがって、同一の近距離無線通信ネットワーク１０に、同一の製造者によって製造された同一の通信機器が複数台存在する場合であっても、利用者は特定の通信装置を容易に識別することが可能であり、かつ利用者が別の名前を設定することも可能となり、利便性がさらに向上する。
【００４８】
なお、上記説明では、通信装置１００の名前をＮｅｔＢＩＯＳ名に変更するか否かの設定をユーザが設定するものとして説明したが、通信装置１００の名前が初期値のまま、つまり、製造者によって付けられている名前のままの場合には、名前変更処理を実行すると、通信装置１００の名前がＮｅｔＢＩＯＳ名に変更され、すでに利用者によって通信装置１１０の名前が変更されていれば、名前変更処理を実行したとしてもその名前は変更されないようにしてもよい。
【００４９】
また、図８の説明では、通信装置１００の名前をＮｅｔＢＩＯＳ名に変更するか否かの設定を予め登録しておき、ステップＳ８０２は、この登録内容に従って名前の変更を行うものとしたが、ステップＳ８０２では、通信装置１００の名前をＮｅｔＢＩＯＳ名に変更するか否かを問い合わせるメッセージを表示部１３４に表示し、このメッセージを確認したユーザが操作部１３５を介して入力した指示により、名前を変更するか否かを決定するようにしてもよい。
【００５０】
上述の２つの実施の形態においては、通信機器１００が用いる通信ネットヮークとして近距離無線通信ネットワーク１０を例にして説明したが、通信機器の名前に関して同様の課題を有する通信ネットワークであれば、無線、有線を問わず、任意の通信ネットワーク対して本実施の形態に係る、通信機器を適用することが可能である。
【００５１】
また、上述の実施の形態においては、制御装置１３０としてコンピュータを用いた場合を例に取って説明したが、制御装置１３０はコンピュータに限られるものではない。例えば制御装置としてＴＣＰ／ＩＰのネットワークに接続されたプリンタなどを用いてもよい。また、ＦＡＸや携帯電話装置などを制御装置１３０とした場合には、制御装置１３０の名前として電話番号を用い、通信装置１１０の名前に電話番号を設定するようにしてもよい。
【００５２】
また、上述の実施の形態において、制御装置１３０はＮｅｔＢＥＵＩ、ＴＣＰ／ＩＰなどのネットワークに接続する場合を例に取って説明したが、制御装置１３０が名前を有していればネットワークに接続していなくともよい。その例としてディジタルスチルカメラがあげられる。（社）日本電子工業振興協会で規格化された「カメラファイルシステム規格」（ＤＣＦ）には通信機器に関する情報を記載する「Ｍａｋｅ」タグゃ「Ｍｏｄｅｌ」タグが定義されている。「Ｍａｋｅ」タグは画像入力機器のメーカ名を記載するものである。「Ｍｏｄｅｌ」タグは画像入力機器のモデル名を記載するものである。ＤＣＦに準拠したディジタルスチルカメラを制御装置１３０とした場合、制御装置１３０に接続された通信装置１１０の名前として「Ｍｏｄｅｌ」タグに記載される画像入力機器のモデル名を設定するようにしてもよい。ここでは「Ｍｏｄｅｌ」タグを例にとって説明したが通信装置１１０の名前として他のタグに記載されているものを名前として使用もよい。
【００５３】
また、ディジタルビデオカメラやＤＣＦに準拠していないディジタルスチルカメラなどの通信機器で内部に通信機器や利用者の情報が記憶されている場合には、この情報を通信装置１１０の名前として使用してもよい。
【００５４】
本発明の実施態様の例を以下に列挙する。
【００５５】
〔実施態様１〕  第１の名前を有し、所定の種類の通信をするための第１の通信手段と、第２の名前を有する制御手段とを備える通信機器において、前記制御手段は、前記第１の名前として前記第２の名前を設定することを特徴とする通信機器。
【００５６】
〔実施態様２〕  前記所定の種類の通信とは異なる他の通信をするための第２の通信手段を備え、前記第２の通信手段が前記他の通信で使用する名前を前記第２の名前としたことを特徴とする実施態様１記載の通信機器。
【００５７】
〔実施態様３〕  前記第２の名前は、Ｄｏｍａｉｎ  Ｎａｍｅ  Ｓｙｓｔｅｍ（ＤＮＳ）によって管理されるホスト名であることを特徴とする実施態様１又は２記載の通信機器。
【００５８】
〔実施態様４〕  前記第２の名前は、Ｄｏｍａｉｎ  Ｎａｍｅ  Ｓｙｓｔｅｍ（ＤＮＳ）によって管理されるＦｕｌｌｙ  Ｑｕａｌｉｆｉｅｄ  Ｄｏｍａｉｎ  Ｎａｍｅ（ＦＱＤＮ）であることを特徴とする実施態様１又は２記載の通信機器。
【００５９】
〔実施態様５〕  前記第２の名前は、ＮｅｔＢＩＯＳ名であることを特徴とする実施態様１又は２に記載の通信機器。
【００６０】
〔実施態様６〕  前記所定の種類の通信は近距離無線通信であることを特徴とする実施態様１記載の通信機器。
【００６１】
〔実施態様７〕  前記制御手段は、前記第２の名前を前記第１の通信手段の名前として設定するか否かを指示する名前設定指示手段を有し、当該名前設定指示手段が前記第１の通信手段の名前として前記第２の名前を使用する指示を出した場合にのみ、前記名前設定手段を用いて前記第１の通信手段の名前を設定することを特徴とする実施態様１記載の通信機器。
【００６２】
〔実施態様８〕  前記第１の通信手段は第２のインターフェイス部を有し、前記制御手段は第１のインターフェイス部を有し、前記第１の通信手段と前記制御手段とは前記第１のインターフェイス部と前記第２のインターフェイス部とを用いて接続されることを特徴とする実施態様１記載の通信機器。
【００６３】
〔実施態様９〕  前記第１のインターフェイス部および前記第２のインターフェイス部はＰＣＭＣＩＡの仕様に準拠したものであることを特徴とする実施態様８記載の通信機器。
【００６４】
〔実施態様１０〕  前記第１のインターフェイス部および前記第２のインターフェイス部はＳＤカードのインターフェイス仕様に準拠したものであることを特徴とする実施態様８記載の通信機器。
【００６５】
〔実施態様１１〕  前記第１のインターフェイス部および前記第２のインターフェイス部はコンパクトフラッシュ（登録商標）のインターフェイス仕様に準拠したものであることを特徴とする実施態様８記載の通信機器。
【００６６】
〔実施態様１２〕  前記第１のインターフェイス部および前記第２のインターフェイス部はメモリスティックのインターフェイス仕様に準拠したものであることを特徴とする実施態様８記載の通信機器。
【００６７】
〔実施態様１３〕  前記第１のインターフェイス部および前記第２のインターフェイス部はマルチメディアカードのインターフェイス仕様に準拠したものであることを特徴とする実施態様８記載の通信機器。
【００６８】
〔実施態様１４〕  前記第１のインターフェイス部および前記第２のインターフェイス部はＲＳ−２３２Ｃのインターフェイス仕様に準拠したものであることを特徴とする実施態様８記載の通信機器。
【００６９】
〔実施態様１５〕  前記第１のインターフェイス部および前記第２のインターフェイス部はＵＳＢのインターフェイス仕様に準拠したものであることを特徴とする実施態様８記載の通信機器。
【００７０】
〔実施態様１６〕  前記第１のインターフェイス部および前記第２のインターフェイス部はＵＡＲＴのインターフェイス仕様に準拠したものであることを特徴とする実施態様８記載の通信機器。
【００７１】
〔実施態様１７〕  前記第１のインターフェイス部および前記第２のインターフェイス部は、バスのインターフェイスであることを特徴とする実施態様８記載の通信機器。
【００７２】
〔実施態様１８〕  所定の種類の通信をするための、第１の名前を有する第１の通信手段を備える通信機器の通信方法において、第２の名前を有する制御手段が前記第１の名前として前記第２の名前を設定し、その後、前記第１の通信手段は前記所定の種類の通信を行うことを特徴とする通信方法。
【００７３】
〔実施態様１９〕  前記第２の名前は、前記所定の種類の通信とは異なる他の通信をするための第２の通信手段が前記他の通信で使用する名前であることを特徴とする実施態様１８記載の通信方法。
【００７４】
〔実施態様２０〕  前記第２の名前は、Ｄｏｍａｉｎ  Ｎａｍｅ  Ｓｙｓｔｅｍ（ＤＮＳ）によって管理されるホスト名であることを特徴とする実施態様１８又は１９記載の通信方法。
【００７５】
〔実施態様２１〕  前記第２の名前は、Ｄｏｍａｉｎ  Ｎａｍｅ  Ｓｙｓｔｅｍ（ＤＮＳ）によって管理されるＦｕｌｌｙ  Ｑｕａｌｉｆｉｅｄ  Ｄｏｍａｉｎ  Ｎａｍｅ（ＦＱＤＮ）であることを特徴とする実施態様１８又は１９記載の通信方法。
【００７６】
〔実施態様２２〕  前記第２の名前は、ＮｅｔＢＩＯＳ名であることを特徴とする実施態様１８又は１９記載の通信方法。
【００７７】
〔実施態様２３〕  前記所定の種類の通信は近距離無線通信であることを特徴とする実施態様１８記載の通信方法。
【００７８】
〔実施態様２４〕  前記制御手段は、前記第２の名前を前記第１の通信手段の名前として設定するか否かを指示する当該名前設定指示手段が前記第１の通信手段の名前として前記第２の名前を使用する指示を出した場合にのみ、前記名前設定手段を用いて前記第１の通信手段の名前を設定することを特徴とする実施態様１８記載の通信方法。
【００７９】
【発明の効果】
以上詳細に説明したように、本発明によれば、種類が異なる複数のネットワークで通信を行う場合でも、通信機器を容易に特定できる。
【図面の簡単な説明】
【図１】本発明の第１の実施の形態に係る通信機器が接続された通信ネットワークの全体構成を例示する図である。
【図２】図１における通信機器１００ａ，１００ｂが有する名前の一例を示す図であり、（ａ）は通信機器１００ａの制御装置１３０ａが有する第１の名前及び第１の通信装置１１０ａに設定された第２の名前を示し、（ｂ）は通信機器１００ｂの制御装置１３０ｂが有する第１の名前及び第１の通信装置１１０ｂに設定された第２の名前を示す。
【図３】図３は、図１のネットワークに接続している通信機器の名前を示す図であり、（ａ）はＮｅｔＢＥＵＩのネットワーク２０に接続している通信機器の名前の一覧を示し、（ｂ）は近距離無線通信ネットワーク１０に接続している通信機器の名前の一覧を示す。
【図４】図１における通信装置１１０の内部構成を示すブロック図である。
【図５】図１における制御装置１３０の内部構成を示すブロック図である。
【図６】通信機器１００による名前設定処理を示すフローチャートである。
【図７】名前設定処理を実行した後のＮｅｔＢＥＵＩのネットワーク２０、および近距離無線通信ネットワークに１０おける通信機器１００ａ，１００ｂの名前を示す図であり、（ａ）はＮｅｔＢＥＵＩのネットワーク２０に接続している通信機器の名前の一覧を示し、（ｂ）は近距離無線通信ネットワーク１０に接続している通信機器の名前の一覧を示す。
【図８】本発明の第２の実施の形態に係る通信機器による名前設定処理を示すフローチャートである。
【図９】名前設定処理を実行した後のＮｅｔＢＥＵＩのネットワーク２０、および近距離無線通信ネットワークに１０おける通信機器１００ａ，１００ｂの名前を示す図であり、（ａ）はＮｅｔＢＥＵＩのネットワーク２０に接続している通信機器の名前の一覧を示し、（ｂ）は近距離無線通信ネットワーク１０に接続している通信機器の名前の一覧を示す。
【符号の説明】
１０  近距離無線通信ネットワーク
２０  ＮｅｔＢＥＵＩのネットワーク
１００ａ，１００ｂ  通信機器
１１０ａ，１１０ｂ  第１の通信装置
１１１，１３１  制御部
１１２，１３２  ＲＯＭ
１１３，１３３  ＲＡＭ
１１４  通信部
１１６，１３６  Ｉ／Ｆ部
１１７  不揮発性メモリ
１２０ａ，１２０ｂ  第２の通信装置
１３０ａ，１３０ｂ  制御手段
１３３  記憶
【図１】
2005051437.tif 000003
【図２】
2005051437.tif 000004
【図３】
2005051437.tif 000005
【図４】
2005051437.tif 000006
【図５】
2005051437.tif 000007
【図６】
2005051437.tif 000008
【図７】
2005051437.tif 000009
【図８】
2005051437.tif 000010
【図９】
2005051437.tif 000011